(57)【要約】【課題】フレームバッファに対する電力の供給を停止している状況下でフレームを受信しても、そのフレームをフレームバッファに格納することができるようにする。【解決手段】下りフレーム検出部１３により下りフレームが受信された場合、下りバッファ制御部２７及び下りフレームバッファ２８に対する電力の供給を開始する電源制御部１９を設け、電力の供給が開始されて、下りフレームバッファ２８が利用可能状態になれば、下りバッファ制御部２７が小容量バッファ１４から下りフレームを読み出して、その下りフレームを下りフレームバッファ２８に格納する。【選択図】図１
2010161566.tif 000002
【特許請求の範囲】
【請求項１】
局側装置から送信された下りフレームを受信する下りフレーム受信手段と、上記下りフレーム受信手段により受信された下りフレームを下りフレームバッファに格納する下りバッファ制御手段とを備えた光加入者線終端装置において、上記下りフレーム受信手段により受信された下りフレームを一時的に格納する下り一時バッファと、上記下りバッファ制御手段及び上記下りフレームバッファに電力が供給されていない状況下で、上記下りフレーム受信手段により下りフレームが受信された場合、上記下りバッファ制御手段及び上記下りフレームバッファに対する電力の供給を開始する一方、上記下りフレーム受信手段により下りフレームが規定時間以上受信されておらず、上記下りフレームバッファに下りフレームが格納されていない場合、上記下りバッファ制御手段及び上記下りフレームバッファに対する電力の供給を停止する電力供給手段とを設け、上記電力供給手段から電力の供給が開始されて、上記下りフレームバッファが利用可能状態になれば、上記下りバッファ制御手段が上記下り一時バッファから下りフレームを読み出して、上記下りフレームを上記下りフレームバッファに格納することを特徴とする光加入者線終端装置。
【請求項２】
加入者側装置から送信された上りフレームを受信する上りフレーム受信手段と、上記上りフレーム受信手段により受信された上りフレームを上りフレームバッファに格納する上りバッファ制御手段とを備えた光加入者線終端装置において、上記上りフレーム受信手段により受信された上りフレームを一時的に格納する上り一時バッファと、上記上りバッファ制御手段及び上記上りフレームバッファに電力が供給されていない状況下で、上記上りフレーム受信手段により上りフレームが受信された場合、上記上りバッファ制御手段及び上記上りフレームバッファに対する電力の供給を開始する一方、上記上りフレーム受信手段により上りフレームが規定時間以上受信されておらず、上記上りフレームバッファに上りフレームが格納されていない場合、上記上りバッファ制御手段及び上記上りフレームバッファに対する電力の供給を停止する電力供給手段とを設け、上記電力供給手段から電力の供給が開始されて、上記上りフレームバッファが利用可能状態になれば、上記上りバッファ制御手段が上記上り一時バッファから上りフレームを読み出して、上記上りフレームを上記上りフレームバッファに格納することを特徴とする光加入者線終端装置。
【請求項３】
局側装置から送信された下りフレームを受信する下りフレーム受信手段と、上記下りフレーム受信手段により受信された下りフレームを下りフレームバッファに格納する下りバッファ制御手段と、加入者側装置から送信された上りフレームを受信する上りフレーム受信手段と、上記上りフレーム受信手段により受信された上りフレームを上りフレームバッファに格納する上りバッファ制御手段とを備えた光加入者線終端装置において、上記下りフレーム受信手段により受信された下りフレームを一時的に格納する下り一時バッファと、上記上りフレーム受信手段により受信された上りフレームを一時的に格納する上り一時バッファと、上記下りバッファ制御手段及び上記下りフレームバッファに電力が供給されていない状況下で、上記下りフレーム受信手段により下りフレームが受信された場合、上記下りバッファ制御手段及び上記下りフレームバッファに対する電力の供給を開始する一方、上記下りフレーム受信手段により下りフレームが規定時間以上受信されておらず、上記下りフレームバッファに下りフレームが格納されていない場合、上記下りバッファ制御手段及び上記下りフレームバッファに対する電力の供給を停止し、上記上りバッファ制御手段及び上記上りフレームバッファに電力が供給されていない状況下で、上記上りフレーム受信手段により上りフレームが受信された場合、上記上りバッファ制御手段及び上記上りフレームバッファに対する電力の供給を開始する一方、上記上りフレーム受信手段により上りフレームが規定時間以上受信されておらず、上記上りフレームバッファに上りフレームが格納されていない場合、上記上りバッファ制御手段及び上記上りフレームバッファに対する電力の供給を停止する電力供給手段とを設け、上記電力供給手段から電力の供給が開始されて、上記下りフレームバッファが利用可能状態になれば、上記下りバッファ制御手段が上記下り一時バッファから下りフレームを読み出して、上記下りフレームを上記下りフレームバッファに格納し、上記電力供給手段から電力の供給が開始されて、上記上りフレームバッファが利用可能状態になれば、上記上りバッファ制御手段が上記上り一時バッファから上りフレームを読み出して、上記上りフレームを上記上りフレームバッファに格納することを特徴とする光加入者線終端装置。
【請求項４】
加入者側装置が稼働状態であるか否かを判定する稼働状態判定手段と、上記稼働状態判定手段の判定結果を示す情報を局側装置に通知する判定結果通知手段と、上記稼働状態判定手段の判定結果に応じて上記局側装置により割り当てられた上り帯域を利用して、上りフレームバッファに格納されている上りフレームを上記局側装置に送信する上りフレーム送信手段と、上記稼働状態判定手段により加入者側装置が非稼働状態であると判定された場合、上記上りフレームバッファ及び上記上りフレーム送信手段に対する電力の供給を停止し、上記稼働状態判定手段により加入者側装置が稼働状態であると判定された場合、上記上りフレームバッファ及び上記上りフレーム送信手段に対する電力の供給を再開する省電力化手段とを設けたことを特徴とする請求項１から請求項３のうちのいずれか１項記載の光加入者線終端装置。
【請求項５】
加入者側装置が稼働状態であるか否かを判定する稼働状態判定手段と、上記稼働状態判定手段の判定結果を示す情報を局側装置に通知する判定結果通知手段と、上記稼働状態判定手段の判定結果に応じて上記局側装置により割り当てられた上り帯域を利用して、上りフレームバッファに格納されている上りフレームを上記局側装置に送信する上りフレーム送信手段と、上記稼働状態判定手段により加入者側装置が非稼働状態であると判定された場合、上記上りフレームバッファ及び上記上りフレーム送信手段に対する電力の供給を停止し、上記稼働状態判定手段により加入者側装置が稼働状態であると判定された場合、上記上りフレームバッファ及び上記上りフレーム送信手段に対する電力の供給を再開する省電力化手段とを備えた光加入者線終端装置。
【請求項６】
省電力化手段は、稼働状態判定手段により加入者側装置が非稼働状態であると判定された場合、上りフレームバッファ及び上りフレーム送信手段のほかに、上記稼働状態判定手段及び判定結果通知手段に対する電力の供給も停止し、上記電力の供給を停止している時間が予め設定されている省電力最大時間に至ると、上記電力の供給を再開することを特徴とする請求項４または請求項５記載の光加入者線終端装置。
【請求項７】
光加入者線終端装置から加入者側装置が稼働状態であるか否かを示す情報を受信する情報受信手段と、上記情報受信手段により受信された情報が非稼働状態である旨を示す場合、上記光加入者線終端装置に割り当てる上り帯域の間隔の長期化又は上記上り帯域の割当の停止を行い、上記情報受信手段により受信された情報が稼働状態である旨を示す場合、上記光加入者線終端装置に割り当てる上り帯域の間隔を元の間隔に復帰又は上記上り帯域の割当を再開する上り帯域制御手段とを備えた局側装置。
【発明の詳細な説明】
【技術分野】
【０００１】
この発明は、省電力化が図られている光加入者線終端装置（ＯＮＵ：Ｏｐｔｉｃａｌ  Ｎｅｔｗｏｒｋ  Ｕｎｉｔ）と、その光加入者線終端装置に適用される局側装置（ＯＬＴ：Ｏｐｔｉｃａｌ  ｌｉｎｅ  ｔｅｒｍｉｎａｌ）とに関するものである。
【背景技術】
【０００２】
例えば、以下の特許文献１に開示されている光加入者線終端装置では、下記に示すような省電力化方法が採用されている。
電源制御部は、通信状況検出部が加入者側装置や局側装置との通信状況を検出し、その検出結果が通信していない旨を示していれば、内部回路（例えば、ＰＯＮ処理部、光インターフェイス部）に対する電力の供給を停止するようにしている。
【先行技術文献】
【特許文献】
【０００３】
【特許文献１】特開２００７−８９０２７号公報（段落番号［００３０］から［００４７］、図３）
【発明の概要】
【発明が解決しようとする課題】
【０００４】
従来の光加入者線終端装置は以上のように構成されているので、内部回路に対する電力の供給を停止すれば、省電力化を図ることができる。しかし、内部回路に対する電力の供給を停止している状況下で、例えば、局側装置から送信されたフレームを受信した場合、フレームバッファに対する電力の供給を開始しても、そのフレームバッファが利用可能な状態になるまでに相当の時間がかかるため、そのフレームがフレームバッファに格納されずに廃棄されてしまうなどの課題があった。
【０００５】
この発明は上記のような課題を解決するためになされたもので、フレームバッファに対する電力の供給を停止している状況下でフレームを受信しても、そのフレームをフレームバッファに格納することができる光加入者線終端装置を得ることを目的とする。
また、この発明は、省電力化を高めることができる光加入者線終端装置を得るとともに、その光加入者線終端装置が使用する上り帯域の利用効率を高めることができる局側装置を得ることを目的とする。
【課題を解決するための手段】
【０００６】
この発明に係る光加入者線終端装置は、下りフレーム受信手段により受信された下りフレームを一時的に格納する下り一時バッファと、下りバッファ制御手段及び下りフレームバッファに電力が供給されていない状況下で、下りフレーム受信手段により下りフレームが受信された場合、下りバッファ制御手段及び下りフレームバッファに対する電力の供給を開始する一方、下りフレーム受信手段により下りフレームが規定時間以上受信されておらず、下りフレームバッファに下りフレームが格納されていない場合、下りバッファ制御手段及び下りフレームバッファに対する電力の供給を停止する電力供給手段とを設け、電力供給手段から電力の供給が開始されて、下りフレームバッファが利用可能状態になれば、下りバッファ制御手段が下り一時バッファから下りフレームを読み出して、その下りフレームを下りフレームバッファに格納するようにしたものである。
【発明の効果】
【０００７】
この発明によれば、下りフレーム受信手段により受信された下りフレームを一時的に格納する下り一時バッファと、下りバッファ制御手段及び下りフレームバッファに電力が供給されていない状況下で、下りフレーム受信手段により下りフレームが受信された場合、下りバッファ制御手段及び下りフレームバッファに対する電力の供給を開始する一方、下りフレーム受信手段により下りフレームが規定時間以上受信されておらず、下りフレームバッファに下りフレームが格納されていない場合、下りバッファ制御手段及び下りフレームバッファに対する電力の供給を停止する電力供給手段とを設け、電力供給手段から電力の供給が開始されて、下りフレームバッファが利用可能状態になれば、下りバッファ制御手段が下り一時バッファから下りフレームを読み出して、その下りフレームを下りフレームバッファに格納するように構成したので、下りフレームバッファに対する電力の供給を停止している状況下で、局側装置から送信された下りフレームを受信しても、その下りフレームを下りフレームバッファに格納することができる効果がある。
【図面の簡単な説明】
【０００８】
【図１】この発明の実施の形態１による光加入者線終端装置が適用するＧＥ−ＰＯＮシステムを示す構成図である。
【図２】この発明の実施の形態１による光加入者線終端装置の処理内容を示すフローチャートである。
【図３】この発明の実施の形態２による光加入者線終端装置及び局側装置が適用するＧＥ−ＰＯＮシステムを示す構成図である。
【図４】局側装置による上り帯域の割当処理を示す説明図である。
【発明を実施するための形態】
【０００９】
実施の形態１．
図１はこの発明の実施の形態１による光加入者線終端装置が適用するＧＥ−ＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ）システムを示す構成図である。ただし、Ｅｔｈｅｒｎｅｔは登録商標である。
図１において、加入者側装置１は例えばユーザが使用するパソコン、ＩＰ電話やホームゲートウェイなどの端末が該当する。
局側装置２は光ファイバ４による通信ネットワークで通信事業者の中央局側に設置される終端装置である。
光加入者線終端装置３は加入者側装置１と局側装置２間に設置され、加入者側装置１と局側装置２間の通信を中継する装置である。
【００１０】
光インタフェース部１１は光ファイバ４に対するインタフェースであり、光ファイバ４から出力された光信号を電気信号に変換してＰＯＮ制御部１２に出力する一方、ＰＯＮ制御部１２から出力された電気信号を光信号に変換して光ファイバ４に出力する処理を実施する。
ＰＯＮ制御部１２は光インタフェース部１１から出力された電気信号に対する復調処理を実施して、局側装置２から送信されたフレームを復調し、そのフレームに含まれている制御フレームとユーザフレーム（下りフレーム）を分けて、下りフレームを下りフレーム検出部１３に出力する。また、上りバッファ制御部２９から出力されたフレーム（制御フレーム、ユーザフレーム（上りフレーム））に対する変調処理を実施して、その変調信号である電気信号を光インタフェース部１１に出力する処理を実施する。
【００１１】
下りフレーム検出部１３はＰＯＮ制御部１２から出力された下りフレームを受信して、下りフレームを小容量バッファ１４に出力する処理を実施する。なお、下りフレーム検出部１３は下りフレーム受信手段を構成している。
小容量バッファ１４は下りフレーム検出部１３により受信された下りフレームを一時的に格納するメモリである。なお、小容量バッファ１４は下り一時バッファを構成している。
【００１２】
ユーザネットワークインタフェース部１５は加入者側装置１に対するインタフェースである。
上りフレーム検出部１６は加入者側装置１から出力されたユーザフレーム（上りフレーム）を受信して、上りフレームを小容量バッファ１７に出力する処理を実施する。なお、上りフレーム検出部１６は上りフレーム受信手段を構成している。
小容量バッファ１７は上りフレーム検出部１６により受信された上りフレームを一時的に格納するメモリである。なお、小容量バッファ１７は上り一時バッファを構成している。
【００１３】
電源部１８は電力を各処理部に供給する電源である。
電源制御部１９はスイッチ２０〜２６のオン／オフを制御することで、光加入者線終端装置３内の各処理部に対する電力の供給を制御する装置である。
特に、下りバッファ制御部２７及び下りフレームバッファ２８に電力が供給されていない状況下で、下りフレーム検出部１３により下りフレームが受信された場合、下りバッファ制御部２７及び下りフレームバッファ２８に対する電力の供給を開始する一方、下りフレーム検出部１３により下りフレームが規定時間以上受信されておらず、下りフレームバッファ２８に下りフレームが格納されていない場合、下りバッファ制御部２７及び下りフレームバッファ２８に対する電力の供給を停止する処理を実施する。
また、上りバッファ制御部２９及び上りフレームバッファ３０に電力が供給されていない状況下で、上りフレーム検出部１６により上りフレームが受信された場合、上りバッファ制御部２９及び上りフレームバッファ３０に対する電力の供給を開始する一方、上りフレーム検出部１６により上りフレームが規定時間以上受信されておらず、上りフレームバッファ３０に上りフレームが格納されていない場合、上りバッファ制御部２９及び上りフレームバッファ３０に対する電力の供給を停止する処理を実施する。
なお、電源部１８、電源制御部１９及びスイッチ２０〜２６から電力供給手段が構成されている。
【００１４】
下りバッファ制御部２７は電源部１８から電力の供給が開始されて、下りフレームバッファ２８が利用可能状態になれば、小容量バッファ１４に一時的に格納されている下りフレームを読み出し、その下りフレームを下りフレームバッファ２８に格納する処理を実施する。なお、下りバッファ制御部２７は下りバッファ制御手段を構成している。
下りフレームバッファ２８は下りフレームを格納するメモリである。
【００１５】
上りバッファ制御部２９は電源部１８から電力の供給が開始されて、上りフレームバッファ３０が利用可能状態になれば、小容量バッファ１７に一時的に格納されている上りフレームを読み出し、その上りフレームを上りフレームバッファ３０に格納する処理を実施する。なお、上りバッファ制御部２９は上りバッファ制御手段を構成している。
上りフレームバッファ３０は上りフレームを格納するメモリである。
図２はこの発明の実施の形態１による光加入者線終端装置の処理内容を示すフローチャートである。
【００１６】
次に動作について説明する。
省電力モード（電力の消費を少なくするモード）では、電源制御部１９がスイッチ２５，２２をオフにすることで、下りバッファ制御部２７及び上りバッファ制御部２９に対する電力の供給を停止している。
下りバッファ制御部２７は、電源部１８から供給された電力の一部を下りフレームバッファ２８に供給しているので、電源部１８から供給されていた電力が停止されると、それに連動して、下りフレームバッファ２８に対する電力の供給も停止される。
また、上りバッファ制御部２９は、電源部１８から供給された電力の一部を上りフレームバッファ３０に供給しているので、電源部１８から供給されていた電力が停止されると、それに連動して、上りフレームバッファ３０に対する電力の供給も停止される。
【００１７】
省電力モードでは、上りフレーム検出部１６により上りフレームが受信されても、その上りフレームが廃棄されないようにするため、電源制御部１９がスイッチ２１をオンにして、電源部１８から電力が小容量バッファ１７に供給されるようにしている。
ただし、ユーザネットワークインタフェース部１５によって加入者側装置１が接続されていないことが検知されると、加入者側装置１から上りフレームが送信されてくることはないので、電源制御部１９がスイッチ２１をオフにして、電源部１８から電力が小容量バッファ１７に供給されないようにして省電力化を図っている。
【００１８】
また、省電力モードでは、下りフレーム検出部１３により下りフレームが受信されても、その下りフレームが廃棄されないようにするため、電源制御部１９がスイッチ２６をオンにして、電源部１８から電力が小容量バッファ１４に供給されるようにしている。
ただし、光インタフェース部１１によって局側装置２が接続されていないことが検知されると、局側装置２から下りフレームが送信されてくることはないので、電源制御部１９がスイッチ２６をオフにして、電源部１８から電力が小容量バッファ１４に供給されないようにして省電力化を図っている。
【００１９】
ここでは、省電力モードでも、光インタフェース部１１、ＰＯＮ制御部１２及びユーザネットワークインタフェース部１５に対して電力が供給されているものとするが、光加入者線終端装置３の動作状況に応じて、光インタフェース部１１、ＰＯＮ制御部１２又はユーザネットワークインタフェース部１５のいずれかに対する電力の供給が停止されるようにしてもよい。
【００２０】
次に、光加入者線終端装置３が下りフレームを受信する際の処理内容を説明する。
光インタフェース部１１は、局側装置２から送信された光信号を光ファイバ４より取得し、その光信号を電気信号に変換してＰＯＮ制御部１２に出力する。
ＰＯＮ制御部１２は、光インタフェース部１１から電気信号を受けると、その電気信号に対する復調処理を実施して、局側装置２から送信されたフレームを復調する。
また、ＰＯＮ制御部１２は、そのフレームに含まれている制御フレームとユーザフレーム（下りフレーム）を分けて、その下りフレームを下りフレーム検出部１３に出力する。
【００２１】
下りフレーム検出部１３は、ＰＯＮ制御部１２から出力された下りフレームを受信する（ステップＳＴ１）。
電源制御部１９は、下りフレーム検出部１３が下りフレームを受信すると、下りフレーム検出部１３によって最後に下りフレームが受信された時刻（以下、「下りフレーム最終受信時刻」と称する）を更新する（ステップＳＴ２）。
【００２２】
次に、電源制御部１９は、スイッチ２５のオン／オフ状態を確認することで、現在、電源部１８から下りバッファ制御部２７に電力が供給されているか否かを判別する（ステップＳＴ３）。
電源制御部１９は、現在、下りバッファ制御部２７に電力が供給されていない場合、スイッチ２５をオンにして、下りバッファ制御部２７に対する電力の供給を開始する（ステップＳＴ４）。
下りバッファ制御部２７は、上述したように、電源部１８から供給された電力の一部を下りフレームバッファ２８に供給するので、電源部１８からの電力の供給が開始されると、それに連動して、下りフレームバッファ２８に対する電力の供給も開始される。
ただし、下りフレームバッファ２８に対する電力の供給を開始しても、下りフレームバッファ２８が利用可能な状態になるまでに、所定の時間（例えば、数１００ミリ秒）を要する。
【００２３】
小容量バッファ１４は、下りフレーム検出部１３により受信された下りフレームを一時的に保持する（ステップＳＴ５）。
下りバッファ制御部２７は、電源部１８から電力の供給が開始されると、電源部１８から供給された電力の一部を下りフレームバッファ２８に供給し、下りフレームバッファ２８が利用可能状態になるまで待機する（ステップＳＴ６）。
下りバッファ制御部２７は、下りフレームバッファ２８が利用可能状態になると、小容量バッファ１４に一時的に格納されている下りフレームを読み出し（ステップＳＴ７）、その下りフレームを下りフレームバッファ２８に格納する（ステップＳＴ８）。
【００２４】
電源制御部１９は、下りフレーム最終受信時刻と現在時刻を比較して、下りフレーム検出部１３により下りフレームが受信されていない時間を算出する。
電源制御部１９は、下りフレーム検出部１３により下りフレームが受信されていない時間が、予め設定された規定時間以上であるか否かを判定する（ステップＳＴ９）。
電源制御部１９は、下りフレームが受信されていない時間が規定時間以上である場合、下りフレームバッファ２８に下りフレームが格納されているか否かを判定する（ステップＳＴ１０）。
【００２５】
電源制御部１９は、下りフレームバッファ２８に下りフレームが格納されていない場合、スイッチ２５をオフにすることで、下りバッファ制御部２７に対する電力の供給を停止する（ステップＳＴ１１）。
下りバッファ制御部２７は、上述したように、電源部１８から供給された電力の一部を下りフレームバッファ２８に供給するので、電源部１８から供給されていた電力が停止されると、それに連動して、下りフレームバッファ２８に対する電力の供給も停止される。
これにより、省電力モードに移行する。
【００２６】
次に、光加入者線終端装置３が上りフレームを受信する際の処理内容を説明する。
上りフレーム検出部１６は、ユーザネットワークインタフェース部１５を介して、加入者側装置１から送信された上りフレームを受信する（ステップＳＴ１）。
電源制御部１９は、上りフレーム検出部１６が上りフレームを受信すると、上りフレーム検出部１６によって最後に上りフレームが受信された時刻（以下、「上りフレーム最終受信時刻」と称する）を更新する（ステップＳＴ２）。
【００２７】
次に、電源制御部１９は、スイッチ２２のオン／オフ状態を確認することで、現在、電源部１８から上りバッファ制御部２９に電力が供給されているか否かを判別する（ステップＳＴ３）。
電源制御部１９は、現在、上りバッファ制御部２９に電力が供給されていない場合、スイッチ２２をオンにして、上りバッファ制御部２９に対する電力の供給を開始する（ステップＳＴ４）。
上りバッファ制御部２９は、上述したように、電源部１８から供給された電力の一部を上りフレームバッファ３０に供給するので、電源部１８からの電力の供給が開始されると、それに連動して、上りフレームバッファ３０に対する電力の供給も開始される。
ただし、上りフレームバッファ３０に対する電力の供給を開始しても、上りフレームバッファ３０が利用可能な状態になるまでに、所定の時間（例えば、数１００ミリ秒）を要する。
【００２８】
小容量バッファ１７は、上りフレーム検出部１６により受信された上りフレームを一時的に保持する（ステップＳＴ５）。
上りバッファ制御部２９は、電源部１８から電力の供給が開始されると、電源部１８から供給された電力の一部を上りフレームバッファ３０に供給し、上りフレームバッファ３０が利用可能状態になるまで待機する（ステップＳＴ６）。
上りバッファ制御部２９は、上りフレームバッファ３０が利用可能状態になると、小容量バッファ１７に一時的に格納されている上りフレームを読み出し（ステップＳＴ７）、その上りフレームを上りフレームバッファ３０に格納する（ステップＳＴ８）。
【００２９】
電源制御部１９は、上りフレーム最終受信時刻と現在時刻を比較して、上りフレーム検出部１６により上りフレームが受信されていない時間を算出する。
電源制御部１９は、上りフレーム検出部１６により上りフレームが受信されていない時間が、予め設定された規定時間以上であるか否かを判定する（ステップＳＴ９）。
電源制御部１９は、上りフレームが受信されていない時間が規定時間以上である場合、上りフレームバッファ３０に上りフレームが格納されているか否かを判定する（ステップＳＴ１０）。
【００３０】
電源制御部１９は、上りフレームバッファ３０に上りフレームが格納されていない場合、スイッチ２２をオフにすることで、上りバッファ制御部２９に対する電力の供給を停止する（ステップＳＴ１１）。
上りバッファ制御部２９は、上述したように、電源部１８から供給された電力の一部を上りフレームバッファ３０に供給するので、電源部１８から供給されていた電力が停止されると、それに連動して、上りフレームバッファ３０に対する電力の供給も停止される。
これにより、省電力モードに移行する。
【００３１】
以上で明らかなように、この実施の形態１によれば、下りフレーム検出部１３により受信された下りフレームを一時的に格納する小容量バッファ１４と、下りバッファ制御部２７及び下りフレームバッファ２８に電力が供給されていない状況下で、下りフレーム検出部１３により下りフレームが受信された場合、下りバッファ制御部２７及び下りフレームバッファ２８に対する電力の供給を開始する一方、下りフレーム検出部１３により下りフレームが規定時間以上受信されておらず、下りフレームバッファ２８に下りフレームが格納されていない場合、下りバッファ制御部２７及び下りフレームバッファ２８に対する電力の供給を停止する電源制御部１９とを設け、電力の供給が開始されて、下りフレームバッファ２８が利用可能状態になれば、下りバッファ制御部２７が小容量バッファ１４から下りフレームを読み出して、その下りフレームを下りフレームバッファ２８に格納するように構成したので、下りフレームバッファ２８に対する電力の供給を停止している状況下で、局側装置２から送信された下りフレームを受信しても、その下りフレームを下りフレームバッファ２８に格納することができる効果を奏する。
【００３２】
また、この実施の形態１によれば、上りフレーム検出部１６により受信された上りフレームを一時的に格納する小容量バッファ１７と、上りバッファ制御部２９及び上りフレームバッファ３０に電力が供給されていない状況下で、上りフレーム検出部１６により上りフレームが受信された場合、上りバッファ制御部２９及び上りフレームバッファ３０に対する電力の供給を開始する一方、上りフレーム検出部１６により上りフレームが規定時間以上受信されておらず、上りフレームバッファ３０に上りフレームが格納されていない場合、上りバッファ制御部２９及び上りフレームバッファ３０に対する電力の供給を停止する電源制御部１９とを設け、電力の供給が開始されて、上りフレームバッファ３０が利用可能状態になれば、上りバッファ制御部２９が小容量バッファ１７から上りフレームを読み出して、その上りフレームを上りフレームバッファ３０に格納するように構成したので、上りフレームバッファ３０に対する電力の供給を停止している状況下で、加入者側装置１から送信された上りフレームを受信しても、その上りフレームを上りフレームバッファ３０に格納することができる効果を奏する。
【００３３】
実施の形態２．
図３はこの発明の実施の形態２による光加入者線終端装置及び局側装置が適用するＧＥ−ＰＯＮシステムを示す構成図であり、図３において、図１と同一符号は同一又は相当部分を示すので説明を省略する。
ＩＰ電話１−１、パソコン（図中、「ＰＣ」と記載）１−２及びホームゲートウェイ（図中、「ＨＧＷと記載）１−３は図１の加入者側装置１に相当する。
光加入者線終端装置３−１，３−２，・・・，３−Ｎは加入者側装置１−１，１−２，・・・，１−Ｍと局側装置２間に設置され、加入者側装置１−１，１−２，・・・，１−Ｍと局側装置２間の通信を中継する装置である。
図３では、光加入者線終端装置３−１，３−２，・・・，３−Ｎの特徴的な処理部のみを開示しているが、図１の光加入者線終端装置３を構成する処理部についても実装しているものとする。
光スプリッタ５は光信号を分岐する処理を実施する。
【００３４】
光ＩＦ部５１は図１の光インタフェース部１１に相当する処理部である。
ＰＯＮ制御部５２は図１のＰＯＮ制御部１２と同様の機能を有するほか、ユーザＩＦ部５３による稼働状態の判定結果を示す情報を局側装置２に通知する機能を備えている。なお、ＰＯＮ制御部５２は判定結果通知手段を構成している。
ユーザＩＦ部５３は図１のユーザネットワークインタフェース部１５と同様の機能を有するほか、加入者側装置１−１，１−２，・・・，１−Ｍが稼働状態であるか否かを判定する機能を備えている。なお、ユーザＩＦ部５３は稼働状態判定手段を構成している。
【００３５】
バッファ制御部５４は図１の下りフレーム検出部１３、小容量バッファ１４、下りバッファ制御部２７、下りフレームバッファ２８、上りフレーム検出部１６、小容量バッファ１７、上りバッファ制御部２９及び上りフレームバッファ３０の機能を有するほか、局側装置２により割り当てられた上り帯域を利用して、上りフレームバッファ３０に格納されている上りフレームを局側装置２に送信する機能を備えている。なお、バッファ制御部５４は上りフレーム送信手段を構成している。
【００３６】
時間管理部５５は電源制御部５６がバッファ制御部５４等に対して電力の供給を停止している時間を管理し、その時間が予め設定されている省電力最大時間に至ると、その旨を電源制御部５６に通知する処理を実施する。
電源制御部５６はユーザＩＦ部５３により加入者側装置１−１等が非稼働状態であると判定された場合、バッファ制御部５４等に対する電力の供給を停止し、加入者側装置１−１等が稼働状態であると判定された場合、バッファ制御部５４等に対する電力の供給を再開する処理を実施する。また、時間管理部５５から省電力最大時間に至っている旨の通知を受けると、バッファ制御部５４等に対する電力の供給を再開する処理を実施する。
なお、時間管理部５５及び電源制御部５６から省電力化手段が構成されている。
【００３７】
光ＩＦ部６１は光ファイバ４に対するインタフェースであり、光加入者線終端装置３−１，３−２，・・・，３−Ｎから加入者側装置１−１等が稼働状態であるか否かを示す情報を受信する処理を実施する。なお、光ＩＦ部６１は情報受信手段を構成している。
ＯＮＵ状態管理部６２は光加入者線終端装置３−１，３−２，・・・，３−Ｎが省電力モードの状態であるか否かを管理する処理を実施する。
【００３８】
上り帯域制御部６３は光ＩＦ部６１により受信された情報が非稼働状態である旨を示す場合、光加入者線終端装置３−１等に割り当てる上り帯域の間隔の長期化又は上り帯域の割当の停止を行い、光ＩＦ部６１により受信された情報が稼働状態である旨を示す場合、光加入者線終端装置３−１等に割り当てる上り帯域の間隔を元の間隔に復帰又は上り帯域の割当を再開する処理を実施する。なお、上り帯域制御部６３は上り帯域制御手段を構成している。
図４は局側装置による上り帯域の割当処理を示す説明図である。
【００３９】
次に動作について説明する。
ＧＥ−ＰＯＮシステムでは、上り帯域を割り当てる方法として、Ｇａｔｅ−Ｒｅｐｏｒｔ方式を採用している。
Ｇａｔｅ−Ｒｅｐｏｒｔ方式では、局側装置２の上り帯域制御部６３が、光加入者線終端装置３−１〜３−Ｎに対して上りフレームの送信を許可する際、制御メッセージであるＧａｔｅフレームを光加入者線終端装置３−１〜３−Ｎに送信する。
【００４０】
光加入者線終端装置３−１〜３−Ｎのバッファ制御部５４は、ＰＯＮ制御部５２がＧａｔｅフレームを受信すると、上りフレームバッファ３０に格納されている上りフレームを局側装置２に送信する。
また、光加入者線終端装置３−１〜３−ＮのＰＯＮ制御部５２は、局側装置２からＧａｔｅフレームを受信すると、図４に示すように、制御メッセージであるＲｅｐｏｒｔフレームを使用して、バッファ制御部５４内の上りフレームバッファ３０に格納されている上りフレームの蓄積量を局側装置２に通知する。
【００４１】
局側装置２の光ＩＦ部６１は、光加入者線終端装置３−１〜３−Ｎから送信された上りフレームを受信すると、その上りフレームを図示せぬ上位装置に送信する。
局側装置２の上り帯域制御部６３は、光加入者線終端装置３−１〜３−ＮからＲｅｐｏｒｔフレームを受信すると、光加入者線終端装置３−１〜３−Ｎの上りフレームバッファ３０に格納されている上りフレームの蓄積量を把握し、上りフレームの蓄積量が多ければ、当該光加入者線終端装置に割り当てる上り帯域の間隔を短くすることで（Ｇａｔｅフレームの送信間隔を短くする）、多くの上りフレームを送信することができるようにする。
一方、上りフレームの蓄積量が少なければ、少ない帯域でも送信可能であるため、当該光加入者線終端装置に割り当てる上り帯域の間隔を長くすることで（Ｇａｔｅフレームの送信間隔を長くする）、無駄な帯域の割り当てを減らすようにする。
【００４２】
これにより、光加入者線終端装置３−１〜３−Ｎの上りフレームバッファ３０に格納されている上りフレームの蓄積量に応じて、光加入者線終端装置３−１〜３−Ｎに割り当てられる上り帯域の間隔が決定されるが、光加入者線終端装置３−１〜３−Ｎに接続されている全ての加入者側装置１−１等が非稼働状態であれば（例えば、光加入者線終端装置３−１の場合、加入者側装置１−１，１−２が非稼働状態である場合）、加入者側装置１−１等から上りフレームが送信されて、上りフレームバッファ３０に格納されることがないので、当該光加入者線終端装置には上り帯域を割り当てる必要がない。
そこで、この実施の形態２では、以下のようにして、無駄な上り帯域の割当を回避している。
【００４３】
光加入者線終端装置３−１〜３−ＮのユーザＩＦ部５３は、加入者側装置１−１〜１−Ｍが稼働状態であるか否かを判定する（例えば、光加入者線終端装置３−１の場合、加入者側装置１−１，１−２が稼働状態であるか否かを判定する）。
即ち、ユーザＩＦ部５３は、加入者側装置１−１等のリンクダウンを検出すると、加入者側装置１−１等が非稼働状態であると判定する。
一方、加入者側装置１−１等のアップリンクを検出すると、加入者側装置１−１等が稼働状態であると判定する。
【００４４】
光加入者線終端装置３−１〜３−Ｎの電源制御部５６は、ユーザＩＦ部５３により全ての加入者側装置１−１等が非稼働状態であると判定されると（例えば、光加入者線終端装置３−１の場合、加入者側装置１−１，１−２が非稼働状態であると判定される場合）、上りフレームを送信する必要がないので、バッファ制御部５４に対する電力の供給を停止する。このとき、ＰＯＮ制御部５２に対する電力の供給を停止するようにしてもよいが、局側装置２と制御メッセージを送受信する部分には電力を供給するようにする。
【００４５】
光加入者線終端装置３−１〜３−ＮのＰＯＮ制御部５２は、ユーザＩＦ部５３により全ての加入者側装置１−１等が非稼働状態であると判定されると（例えば、光加入者線終端装置３−１の場合、加入者側装置１−１，１−２が非稼働状態であると判定される場合）、図４に示すように、例えば、Ｒｅｐｏｒｔフレームを使用して、非稼働状態である旨を示す情報を局側装置２に送信する。
【００４６】
局側装置２の上り帯域制御部６３は、光加入者線終端装置３−１〜３−ＮからＲｅｐｏｒｔフレームを受信し、そのＲｅｐｏｒｔフレームに非稼働状態である旨を示す情報が含まれていれば、当該光加入者線終端装置に割り当てる上り帯域の間隔を長くすることで（Ｇａｔｅフレームの送信間隔を長くする）、無駄な帯域の割り当てを減らすようにする。あるいは、当該光加入者線終端装置に対する上り帯域の割当を停止する。
局側装置２のＯＮＵ状態管理部６２は、そのＲｅｐｏｒｔフレームの送信元の光加入者線終端装置が省電力モードの状態であるものと認識して、当該光加入者線終端装置の状態を管理する。
【００４７】
その後、光加入者線終端装置３−１〜３−ＮのユーザＩＦ部５３が非稼働状態であった加入者側装置１−１等のアップリンクを検出すると、加入者側装置１−１等が稼働状態であると判定する。
光加入者線終端装置３−１〜３−Ｎの電源制御部５６は、ユーザＩＦ部５３により加入者側装置１−１等が稼働状態であると判定されると（例えば、光加入者線終端装置３−１の場合、加入者側装置１−１又は１−２のいずれか一方が稼働状態であると判定される場合）、バッファ制御部５４やＰＯＮ制御部５２に対する電力の供給を再開する。
また、電源制御部５６は、局側装置２からユーザフレームが送信された場合も、バッファ制御部５４やＰＯＮ制御部５２に対する電力の供給を再開する。
【００４８】
光加入者線終端装置３−１〜３−ＮのＰＯＮ制御部５２は、ユーザＩＦ部５３により加入者側装置１−１等が稼働状態であると判定されると（例えば、光加入者線終端装置３−１の場合、加入者側装置１−１又は１−２のいずれか一方が稼働状態であると判定される場合）、例えば、Ｒｅｐｏｒｔフレームを使用して、稼働状態である旨を示す情報を局側装置２に送信する。
【００４９】
局側装置２の上り帯域制御部６３は、光加入者線終端装置３−１〜３−ＮからＲｅｐｏｒｔフレームを受信し、そのＲｅｐｏｒｔフレームに稼働状態である旨を示す情報が含まれていれば、当該光加入者線終端装置に割り当てる上り帯域の間隔を通常の間隔に戻すことで（Ｇａｔｅフレームの送信間隔を元の短い間隔にする）、上りフレームを効率的に送信することができるようにする。当該光加入者線終端装置に対する上り帯域の割当が停止されている場合には、当該光加入者線終端装置に対する上り帯域の割当を再開する。
局側装置２のＯＮＵ状態管理部６２は、そのＲｅｐｏｒｔフレームの送信元の光加入者線終端装置が省電力モードの状態ではない通常状態であると認識して、当該光加入者線終端装置の状態を管理する。
【００５０】
この実施の形態１では、光加入者線終端装置３−１〜３−Ｎの電源制御部５６が、加入者側装置１−１等が非稼働状態になると、バッファ制御部５４やＰＯＮ制御部５２の一部に対する電力の供給を停止するものについて示したが、バッファ制御部５４やＰＯＮ制御部５２の一部だけでなく、ＰＯＮ制御部５２の全部、光ＩＦ部５１及びユーザＩＦ部５３に対する電力の供給も停止するようにしてもよい。
この場合、時間管理部５５は、電源制御部５６がバッファ制御部５４等に対して電力の供給を停止している時間を管理し、その時間が予め設定されている省電力最大時間に至ると、その旨を電源制御部５６に通知するようにする。
電源制御部５６は、時間管理部５５から省電力最大時間に至っている旨の通知を受けると、光ＩＦ部５１、ＰＯＮ制御部５２、ユーザＩＦ部５３及びバッファ制御部５４に対する電力の供給を再開する。
なお、ＰＯＮ制御部５２が、電源制御部５６による電力の供給が再開されたことを、例えば、Ｒｅｐｏｒｔフレームを使用して、局側装置２に通知するようにすれば、局側装置２のＯＮＵ状態管理部６２が光加入者線終端装置３−１〜３−Ｎの状態を管理することができる。
【００５１】
以上で明らかなように、この実施の形態２によれば、ユーザＩＦ部５３により加入者側装置１−１等が非稼働状態であると判定された場合、バッファ制御部５４等に対する電力の供給を停止し、ユーザＩＦ部５３により加入者側装置１−１等が稼働状態であると判定された場合、バッファ制御部５４等に対する電力の供給を再開するように構成したので、光加入者線終端装置の省電力化を高めることができる効果を奏する。
【００５２】
また、この実施の形態２によれば、ユーザＩＦ部５３により加入者側装置１−１等が非稼働状態であると判定された場合、光ＩＦ部５１、ＰＯＮ制御部５２、ユーザＩＦ部５３及びバッファ制御部５４に対する電力の供給を停止し、その電力の供給を停止している時間が予め設定されている省電力最大時間に至ると、光ＩＦ部５１、ＰＯＮ制御部５２、ユーザＩＦ部５３及びバッファ制御部５４に対する電力の供給を再開するように構成したので、さらに、省電力化を高めることができる効果を奏する。
【００５３】
また、この実施の形態２によれば、光加入者線終端装置３−１等から加入者側装置１−１等が稼働状態であるか否かを示す情報を受信し、その情報が非稼働状態である旨を示す場合、光加入者線終端装置３−１等に割り当てる上り帯域の間隔の長期化又は上り帯域の割当の停止を行い、上記情報が稼働状態である旨を示す場合、光加入者線終端装置３−１等に割り当てる上り帯域の間隔を元の間隔に復帰又は上り帯域の割当を再開するように構成したので、光加入者線終端装置３−１等が使用する上り帯域の利用効率を高めることができる効果を奏する。
【符号の説明】
【００５４】
１  加入者側装置、１−１  ＩＰ電話（加入者側装置）、１−２  パソコン（加入者側装置）、１−Ｍ  ホームゲートウェイ（加入者側装置）、２  局側装置、３，３−１，３−２，・・・，３−Ｎ  光加入者線終端装置、４  光ファイバ、５  光カプラ、１１  光インタフェース部、１２  ＰＯＮ制御部、１３  下りフレーム検出部（下りフレーム受信手段）、１４  小容量バッファ（下り一時バッファ）、１５  ユーザネットワークインタフェース部、１６  上りフレーム検出部（上りフレーム受信手段）、１７  小容量バッファ（上り一時バッファ）、１８  電源部（電力供給手段）、１９  電源制御部（電力供給手段）、２０〜２６  スイッチ（電力供給手段）、２７  下りバッファ制御部（下りバッファ制御手段）、２８  下りフレームバッファ、２９  上りバッファ制御部（上りバッファ制御手段）、３０  上りフレームバッファ、５１  光ＩＦ部、５２  ＰＯＮ制御部（判定結果通知手段）、５３  ユーザＩＦ部（稼働状態判定手段）、５４  バッファ制御部（上りフレーム送信手段）、５５  時間管理部（省電力化手段）、５６  電源制御部（省電力化手段）、６１  光ＩＦ部（情報受信手段）、６２  ＯＮＵ状態管理部、６３  上り帯域制御部（上り帯域制御手段）。
【図１】
2010161566.tif 000003
【図２】
2010161566.tif 000004
【図３】
2010161566.tif 000005
【図４】
2010161566.tif 000006